(57)【特許請求の範囲】
【請求項１】
プーリ軸方向に並設される手前側プーリと奥側プーリを備えると共に第一の回転方向及び第二の回転方向を有する二段プーリの前記奥側プーリと、他のプーリとしての第二プーリと、の間に、周長方向に伸縮可能なベルトを、前記奥側プーリと前記第二プーリの軸間距離を固定したまま掛巻するのに用いるベルト取付治具であって、
前記手前側プーリの外周を覆うカバー部と、
前記カバー部よりも前記第二の回転方向側へ配され、前記カバー部上を交差して前記奥側プーリの外周に導入される前記ベルトを屈曲して前記奥側プーリの外周に沿わせるための屈曲案内部と、
を備え、
前記屈曲案内部は、プーリ径方向外方へ、少なくとも前記ベルトのベルト幅よりも長く延在し、
前記カバー部には、前記カバー部上を交差する前記ベルトよりも前記第一の回転方向側に、プーリ径方向外方へ膨出する膨出部が形成される、
ことを特徴とするベルト取付治具。
【請求項２】
請求項１に記載のベルト取付治具であって、
前記カバー部よりも前記第二の回転方向側にはプーリ径方向外方へ隆起するブロック体が設けられ、
このブロック体に前記の屈曲案内部が形成されると共に、前記カバー部は上記ブロック体から前記第一の回転方向へ向かって延在して形成される、
ことを特徴とする、ベルト取付治具。
【請求項３】
請求項１又は２に記載のベルト取付治具であって、
前記二段プーリの側面に当接する当接部を備える、
ことを特徴とする、ベルト取付治具。
【請求項４】
プーリ軸方向に並設される手前側プーリと奥側プーリを備えると共に第一の回転方向及び第二の回転方向を有する二段プーリの前記奥側プーリと、他のプーリとしての第二プーリと、の間に、周長方向に伸縮可能なベルトを、前記奥側プーリと前記第二プーリの軸間距離を固定したまま掛巻するベルト取付方法であって、
請求項１〜３の何れかに記載のベルト取付治具を以下のように用いる、
ことを特徴とする、ベルト取付方法。
（ａ）前記カバー部が前記屈曲案内部から見て前記第一の回転方向側となるように前記ベルト取付治具を前記手前側プーリの外周に当接する。
（ｂ）前記ベルトを前記第二プーリに掛巻すると共に、前記カバー部上を交差させ、前記屈曲案内部によって屈曲しつつ前記奥側プーリの外周に沿わせる。
（ｃ）前記二段プーリを前記第一の回転方向に回転させる。
【発明の詳細な説明】
【技術分野】
【０００１】
本発明は、ベルト取付治具と、このベルト取付治具を用いたベルト取付方法に関する。詳しくは、手前側プーリと奥側プーリを備えた所謂二段プーリへのベルトの掛巻の技術に関する。
【背景技術】
【０００２】
軸方向に並設される手前側プーリと奥側プーリを備える二段プーリの前記奥側プーリと、他のプーリとしての第二プーリと、の間に周長方向に伸縮可能なベルトを、前記奥側プーリと前記第二プーリの軸間距離を固定したまま掛巻するのに用いるベルト取付治具として、例えば、特許文献１（特開２００７−１２０６７８号公報）は、手前側プーリフランジのさらに手前側でベルトの内側を引っ掛ける導入部と、手前側プーリの外周側を覆い前記導入部から導いたベルトを奥側プーリのプーリ溝まで案内する差渡しガイドと、前記奥側プーリのプーリ溝の上方に位置して該奥側プーリのプーリ溝に挿通したベルトの浮き上がりを押さえる押え片とを備え、前記導入部、差渡しガイドおよび押え片を二段掛けプーリに取り付けるための取付部が設けられたベルト取付治具を開示する。
【０００３】
同様に、特許文献２（特開２００８−１６４０５３号公報）は、外側プーリ溝に嵌合すると共に外側プーリフランジ及び中央プーリフランジを被覆するプーリ装着部及びベルト案内部を備えたガイド部材をステーによってプーリに固定し、且つ、このステーによってＶリブドベルトを内側プーリ溝に嵌合保持するようにして用いるベルト取付治具を開示する。
【発明の開示】
【発明が解決しようとする課題】
【０００４】
しかし、上記特許文献１の構成では、手前側プーリフランジのさらに手前側に配置された導入部にベルトの内側が掛けられるので、ベルトの張力が高くなったとき、この張力は、ベルト取付治具を手前側プーリフランジのさらに手前側に倒そうとする働きをする。この倒れを防止するため、上記特許文献１の構成では、前記導入部、差渡しガイドおよび押え片を二段掛けプーリに取り付けるための取付部が必須となっており、従って、上記特許文献１のベルト取付治具は構造が複雑であると共に、これ以上コンパクトにできない。
【０００５】
一方、上記特許文献２の構成は、ベルト取付治具をプーリに対して固定すると共にベルトを内側プーリ溝に嵌合保持するステーを必須としている。しかし、このステーの使い方は一般ユーザーにとっては決して容易ではないだろう。
【０００６】
本発明は斯かる諸点に鑑みてなされたものであり、その主な目的は、軸方向に並設される手前側プーリと奥側プーリを備える二段プーリの奥側プーリと、他のプーリとしての第二プーリと、の間に周長方向に伸縮可能なベルトを、奥側プーリと第二プーリの軸間距離を固定したまま掛巻するのに用いるベルト取付治具を、簡素な且つコンパクトな構造にし、且つ、使い勝手の良いものへと改良することにある。
【課題を解決するための手段及び効果】
【０００７】
本発明の解決しようとする課題は以上の如くであり、本願発明者らは、鋭意研究の末、上記の取付部もステーもない以下のベルト取付治具を完成させた。
【０００８】
本願発明の観点によれば、プーリ軸方向に並設される手前側プーリと奥側プーリを備えると共に第一の回転方向及び第二の回転方向を有する二段プーリの前記奥側プーリと、他のプーリとしての第二プーリと、の間に、周長方向に伸縮可能なベルトを、前記奥側プーリと前記第二プーリの軸間距離を固定したまま掛巻するのに用いるベルト取付治具は、以下のように構成される。即ち、このベルト取付治具は、前記手前側プーリの外周を覆うカバー部と、前記カバー部よりも前記第二の回転方向側へ配され、前記カバー部上を交差して前記奥側プーリの外周に導入される前記ベルトを屈曲して前記奥側プーリの外周に沿わせるための屈曲案内部と、を備える。前記屈曲案内部は、プーリ径方向外方へ、少なくとも前記ベルトのベルト幅よりも長く延在する。前記カバー部には、前記カバー部上を交差する前記ベルトよりも前記第一の回転方向側に、プーリ径方向外方へ膨出する膨出部が形成される。
【０００９】
上記のベルト取付治具は、以下のようにして用いる。即ち、先ず、前記カバー部が前記屈曲案内部から見て前記第一の回転方向側となるように前記ベルト取付治具を前記手前側プーリの外周に当接した状態で、前記ベルトを前記第二プーリに掛巻すると共に、前記カバー部上を交差させ、前記屈曲案内部によって屈曲しつつ前記奥側プーリの外周に沿わせる。次に、前記二段プーリを前記第一の回転方向に回転させる。すると、前記ベルトには、伸張されることにより高い張力が発生する。上記張力は、前記ベルトが前記カバー部上を交差しているので前記カバー部を前記手前側プーリの外周に対して押圧する押圧作用として働くと共に、前記ベルト自身が前記屈曲案内部を前記第二の回転方向へ向かって乗り越えようとする乗り越え作用として働く。ここで、前記屈曲案内部がプーリ径方向外方へ少なくとも前記ベルトのベルト幅よりも長く延在しているので、前記ベルトには、前記屈曲案内部を前記第二の回転方向へ向かって乗り越える切っ掛けが与えられず、もって、前記ベルト自身が前記屈曲案内部を前記第二の回転方向へ向かって乗り越えるのは禁止される。継続して前記二段プーリを前記第一の回転方向に回転させると、前記カバー部から前記屈曲案内部と反対側に延びる前記ベルトが前記手前側プーリの外周に近接し、まもなく、前記カバー部上の前記ベルトが前記カバー部を離れて前記奥側プーリの外周へと移動する。この移動後、前記ベルト取付治具を前記手前側プーリの外周から回収する。
【００１０】
ここで、本願発明に係るベルト取付治具（以下、本願治具とも称する。）を特許文献２に開示のベルト取付治具（以下、引例治具２とも称する。）と比較すると、本願治具は、引例治具２の備えるステーを必須な構成としていない。従って、本願治具は、引例治具２のステーが有する、（ｉ）ベルトを内側プーリ溝に嵌合状態に保持する機能と、（ｉｉ）ガイド部材を第１プーリに固定する機能と、の（ｉ）及び（ｉｉ）の機能を欠いているように見える。しかし、上述したように本願治具では、前記ベルト自身が前記屈曲案内部を前記第二の回転方向へ向かって乗り越えるのが禁止されるようになっており、この乗り越え禁止作用が上記（ｉ）の機能の代替となっている。また、この乗り越え禁止作用により上述の押圧作用が問題なく発揮されるようになっており、従って、本願治具は上記（ｉｉ）の機能も十分に備えている。そして、このようにステーを削除できたことにより、本願治具は、構造上シンプルで、引例治具２と比較して一層使い勝手が良い。
【００１１】
次に、上記の本願治具を特許文献１に開示のベルト取付治具（以下、引例治具１とも称する。）と比較すると、本願治具は、引例治具１の備える導入部・取付部を必須な構成としていない。従って、本願治具は、引例治具１の導入部が有する、（ｉｉｉ）ベルトを差渡しガイドにスムーズに導く、という機能を欠いている。しかし、この導入部の存否は、どうやら、差渡しガイドに対するベルトのスムーズな導入にはあまり寄与していないと考えられる。従って、本願治具は、確かに引例治具１の導入部を欠いているが、だからといって、上記（ｉｉｉ）の機能も欠いているとまでは言えない。そして、問題なく上記導入部を削除できることによって同時に、必須とされていた取付部をも省略でき、もって、本願治具は、引例治具１と比較して、簡素且つコンパクトである。
【００１２】
なお、本願明細書において、上記の「（屈曲案内部は）前記カバー部よりも前記第二の回転方向側へ配され」は、原則として、「（屈曲案内部は）前記カバー部のすべてよりも前記第二の回転方向側へ配され」る場合を意味するが、例外として、「（屈曲案内部は）前記カバー部の少なくとも一部よりも前記第二の回転方向側へ配され」る場合も意味するものとする。
【００１３】
上記のベルト取付治具は、前述のように、前記カバー部には、前記カバー部上を交差する前記ベルトよりも前記第一の回転方向側に、プーリ径方向外方へ膨出する膨出部が形成される、ものである。以上の構成によれば、前記カバー部から前記屈曲案内部と反対側に延びる前記ベルトが前記手前側プーリの外周に近接し、まもなく、前記カバー部上の前記ベルトが前記カバー部を離れて前記奥側プーリの外周へと移動する際、前記膨出部の存在により、前記ベルトは若干ジャンプして前記奥側プーリの外周へと移動することとなる。従って、前記手前側プーリと前記奥側プーリとの間にフランジがある場合は、前記ベルトは該フランジを容易に飛び越えることができるし、そうでない場合であっても、前記奥側プーリの外周に対して前記ベルトが若干斜め上方から接近する動きが実現される。
【００１４】
上記のベルト取付治具は、更に、以下のように構成される。即ち、前記カバー部よりも前記第二の回転方向側にはプーリ径方向外方へ隆起するブロック体が設けられる。このブロック体に前記の屈曲案内部が形成されると共に、前記カバー部は上記ブロック体から前記第一の回転方向へ向かって延在して形成される。以上の構成によれば、前記カバー部と前記屈曲案内部を備える前記ベルト取付治具をまとまりのよい構造とすることができる。
【００１５】
上記のベルト取付治具は、更に、以下のように構成される。即ち、前記二段プーリの側面に当接する当接部を備える。このように前記二段プーリの側面に当接する前記当接部を設けることにより、前記手前側プーリの外周上での前記ベルト取付治具の姿勢が一層安定し、もって、前記ベルトの張力によって前記ベルト取付治具が前記手前側プーリの外周から外れてしまうのを抑制できる。
【００１６】
本願発明の他の観点によれば、プーリ軸方向に並設される手前側プーリと奥側プーリを備えると共に第一の回転方向及び第二の回転方向を有する二段プーリの前記奥側プーリと、他のプーリとしての第二プーリと、の間に、周長方向に伸縮可能なベルトを、前記奥側プーリと前記第二プーリの軸間距離を固定したまま掛巻するベルト取付は、以下のような方法で行われる。即ち、上記のベルト取付治具を以下のように用いる。（ａ）前記カバー部が前記屈曲案内部から見て前記第一の回転方向側となるように前記ベルト取付治具を前記手前側プーリの外周に当接する。（ｂ）前記ベルトを前記第二プーリに掛巻すると共に、前記カバー部上を交差させ、前記屈曲案内部によって屈曲しつつ前記奥側プーリの外周に沿わせる。（ｃ）前記二段プーリを前記第一の回転方向に回転させる。以上の方法によれば、特許文献２の構成で要求されるステーの取り付け作業のような難解な作業をすることなく、前記の奥側プーリと第二プーリの間に前記ベルトを掛巻できる。
【発明を実施するための最良の形態】
【００１７】
以下、図面を参照しつつ、本発明の実施の形態を説明する。本実施形態に係るベルト取付治具は、所謂二段プーリとされるクランクプーリとエアコンのコンプレッサプーリとの間にＶリブドベルトを掛巻するのに用いている。
【００１８】
図１は、エンジン本体の部分斜視図である。図２は、二段プーリの断面図である。以下、図１を参照しつつ、クランクプーリとコンプレッサプーリに対するＶリブドベルトの掛巻を説明し、図２を参照しつつ、二段プーリであるクランクプーリの構造を説明する。
【００１９】
図１に示されるように、エンジン本体１には、エンジンのクランク軸に連結されるクランクプーリ２（二段プーリ）と、エアコンのコンプレッサの入力軸に連結されるコンプレッサプーリ３（第二プーリ）と、が所定の軸間距離を隔てて回転自在に支持される。このクランクプーリ２とコンプレッサプーリ３との間には、実線と二点鎖線で略示のＶリブドベルト４が掛巻され、もって、クランク軸の動力が、クランクプーリ２、Ｖリブドベルト４、コンプレッサプーリ３を順に介してコンプレッサの入力軸に伝動されるようになっている。本実施形態では、クランクプーリ２とコンプレッサプーリ３との間の軸間距離は変更不能とされ、また、図示するように、Ｖリブドベルト４に対して張力を付与するオートテンショナ（張力付与手段）は搭載しない。
【００２０】
上記のクランクプーリ２は二段プーリであって、図１及び図２に示されるようにプーリ軸方向に並設される同径の手前側プーリ５と奥側プーリ６を備える。奥側プーリ６は、プーリ軸方向において、エンジン本体１と手前側プーリ５に挟まれる。クランクプーリ２とコンプレッサプーリ３との間に掛巻される上記のＶリブドベルト４は、具体的には、図１に示されるように、クランクプーリ２の奥側プーリ６とコンプレッサプーリ３との間に掛巻される。
【００２１】
図２に示されるように、手前側プーリ５と奥側プーリ６は一体的に形成され、手前側プーリ５の手前側プーリ溝５ａと奥側プーリ６の奥側プーリ溝６ａとの間には中央フランジ７が環状に設けられ、手前側プーリ溝５ａを挟んで中央フランジ７と反対側には手前側プーリフランジ５ｂが、奥側プーリ溝６ａを挟んで中央フランジ７と反対側には奥側プーリフランジ６ｂが、夫々環状に設けられる。クランクプーリ２のボス部８には、エンジンの図示しないクランク軸が挿入される。符号２ａは、クランクプーリ２の側面を示す。
【００２２】
図１に示されるＶリブドベルト４のベルト幅と、コンプレッサプーリ３のプーリ幅と、図２に示される手前側プーリ５のプーリ幅と、奥側プーリ６のプーリ幅と、は略同値とされる。具体的には、Ｖリブドベルト４は、図２において二点鎖線で略示するように奥側プーリフランジ６ｂと奥側プーリ溝６ａ、それと、中央フランジ７の一部に対して重複する。本実施形態に係るＶリブドベルト４は、その周長方向において伸縮可能な低モジュラスベルトである。
【００２３】
なお、図１の太線矢印はＶリブドベルト４の走行方向を示し、この走行方向にＶリブドベルト４が走行するときのクランクプーリ２の回転方向を第一回転方向Ａ（第一の回転方向）と、この第一回転方向Ａと反対の方向を第二回転方向Ｂ（第二の回転方向）と、定義する。
【００２４】
次に、図３〜６を参照しつつ、本実施形態に係るベルト取付治具の構成を説明する。図３は、本発明の一実施形態に係るベルト取付治具の斜視図である。図３（ａ）〜（ｄ）は、夫々、上記ベルト取付治具９を異なる方向から見た斜視図である。図４は、本発明の一実施形態に係るベルト取付治具の六面図である。図４（ａ）はベルト取付治具９の正面図である。図４（ｂ）はベルト取付治具９の平面図である。図４（ｃ）はベルト取付治具９の底面図である。図４（ｄ）はベルト取付治具９の左側面図である。図４（ｅ）はベルト取付治具９の右側面図である。図４（ｆ）はベルト取付治具９の背面図である。図５（ａ）は図３（ａ）の拡大図であり、図５（ｂ）は図３（ｃ）の拡大図である。図６（ａ）は図４（ｂ）の拡大図であり、図６（ｂ）は図４（ａ）の拡大図である。
【００２５】
図３〜４には、コンパクトであってまとまりよく、一体的に形成された樹脂製のベルト取付治具９が様々な方向から描かれている。
【００２６】
図５〜６に示されるように、ベルト取付治具９は、カバー部１０と、屈曲案内曲面１１（屈曲案内部）と、を主たる構成として備える。このベルト取付治具９は、更に、ブロック体１３と、膨出部１４と、当接部１５と、を備える。このベルト取付治具９は、図１に示される手前側プーリ５のプーリ幅に略等しく、手前側プーリ５の外周に当接して使用するものであって、図５に示されるブロック体１３が図１に示される手前側プーリ５の外周上で、カバー部１０よりも第二回転方向Ｂ側となるように向きを定めて用いる。以下、説明の便宜上、図１で定義した第一回転方向Ａと第二回転方向Ｂを適宜に用いて説明を行う。即ち、図５〜６における符号Ａ、Ｂは、図１に示されるクランクプーリ２の第一回転方向Ａ、第二回転方向Ｂに夫々、対応する。
【００２７】
カバー部１０は、図７のようにベルト取付治具９が手前側プーリ５の外周に当接された状態で、手前側プーリ５の手前側プーリ溝５ａ（外周）を覆う（図２や図１２も併せて参照）。本実施形態ではカバー部１０は、手前側プーリ溝５ａに加えて、手前側プーリフランジ５ｂと中央フランジ７の一部も覆う。このカバー部１０は、手前側プーリ５の手前側プーリ溝５ａに沿うように円弧状に湾曲され、少なくともＶリブドベルト４のベルト幅４ｗ以上の長さで前記のブロック体１３から第一回転方向Ａへ向かって延在する。カバー部１０の内周面には、手前側プーリ５の手前側プーリ溝５ａと嵌合可能なリブ１０ａが形成される。図５（ａ）の符号１０ｂは、カバー部１０の、奥側プーリ６から遠い側の端部である。
【００２８】
上記のブロック体１３は、図５に示されるように、プーリ径方向外方に隆起する略直方体である。このブロック体１３の内周面（プーリ径方向内方の端面）には、手前側プーリ５の手前側プーリ溝５ａと嵌合可能なリブ１３ｂが形成される。このリブ１３ｂは、上記のリブ１０ａと接続される。図５（ａ）の符号１３ｃはブロック体１３の奥側プーリ６側の端面を示し、符号１３ｄはブロック体１３のカバー部１０側の端面を示す。即ち、ブロック体１３の端面１３ｃと端面１３ｄは、図６（ａ）に示すように直交する。
【００２９】
屈曲案内曲面１１は、上記カバー部１０よりも第二回転方向Ｂ側へ配され、カバー部１０上を交差して奥側プーリ６の奥側プーリ溝６ａ（外周）に導入されるＶリブドベルト４を屈曲して奥側プーリ６の奥側プーリ溝６ａに沿わせるための曲面である。この屈曲案内曲面１１は、本実施形態では上記のブロック体１３に形成される。具体的には、屈曲案内曲面１１は、プーリ径方向に延在する、ブロック体１３の、隅部１３ａのうち第一回転方向Ａ側であって且つ奥側プーリ６側の隅部１３ａに丸みを付すことで形成される。この屈曲案内曲面１１は、プーリ径方向外方へ、少なくともＶリブドベルト４のベルト幅４ｗ（図５（ａ）を参照。）よりも長く延在する。即ち、図６（ｂ）に示されるベルト取付治具９の正面図においてプーリ径方向に着目したときの、カバー部１０の外周面１０ｃとブロック体１３の端面１３ｄとの合流位置に基づいて特定できる合流点Ｐと、屈曲案内曲面１１の上端１１ｔと、の間の距離１１ｈは、１１ｈ＞４ｗの関係を満たす。本実施形態では、１１ｈ＝４ｗ×１．２の関係が成立している。
【００３０】
膨出部１４は、カバー部１０からプーリ径方向外方へ膨出して形成される。この膨出部１４は、具体的には、図５（ａ）に示されるように、カバー部１０上を交差するＶリブドベルト４よりも第一回転方向Ａ側に形成される。更に言えば、膨出部１４は、カバー部１０のうちブロック体１３から最も遠い側であって、奥側プーリ６に対して最も近い側である隅部に隆起して形成される。この膨出部１４には、カバー部１０上を交差するＶリブドベルト４に向かって下る、下りテーパ面１４ａが形成される。この下りテーパ面１４ａは、本実施形態においてカバー部１０の外周面１０ｃに対して接続される平面とされる。
【００３１】
当接部１５は、カバー部１０のリブ１０ａを手前側プーリ５の手前側プーリ溝５ａに嵌合したとき、図２に示されるクランクプーリ２の側面２ａに対して当接ないし密着するよう、図５（ｂ）に示すように、ブロック体１３からプーリ軸に向かって延在する。
【００３２】
次に、図７〜図１２を参照しつつ、上記のベルト取付治具９の使用方法を説明する。図７は、ベルト取付治具の使用方法の第一説明図である。図８は、ベルト取付治具の使用方法の第二説明図である。図９は、ベルト取付治具の使用方法の第三説明図である。図１０は、図９の１０線矢視図であって、ベルト取付治具の使用方法の第四説明図である。図１１は、ベルト取付治具の使用方法の第五説明図である。図１２は、膨出部の機能説明図である。
【００３３】
先ず、図７に示されるように、クランクプーリ２のボス部８にレンチ１７の円筒形状である連結部１７ａを連結し、クランクプーリ２を手動で自由に回転できるようにする。
【００３４】
＜手順（ａ）＞
次に、カバー部１０が屈曲案内曲面１１から見て第一回転方向Ａ側となるようにベルト取付治具９を手前側プーリ５の手前側プーリ溝５ａに当接する（図５（ａ）も併せて参照）。このとき、クランクプーリ２のプーリ軸２ｘとコンプレッサプーリ３のプーリ軸３ｘとを結ぶ線と、クランクプーリ２のプーリ軸２ｘとベルト取付治具９とを結ぶ線と、が直角となるように手前側プーリ５の手前側プーリ溝５ａに対するベルト取付治具９の当接位置を定める。
【００３５】
＜手順（ｂ）＞
この状態で、Ｖリブドベルト４をコンプレッサプーリ３に掛巻すると共に、図５（ａ）に示すようにカバー部１０上を交差させる。そして、このＶリブドベルト４を屈曲案内曲面１１によって屈曲しつつ奥側プーリ６の奥側プーリ溝６ａに沿わせる。
【００３６】
詳しくは、コンプレッサプーリ３に掛巻したＶリブドベルト４は、Ｖリブドベルト４の走行方向と反対の方向に順に、即ち、レンチ１７の連結部１７ａ、ベルト取付治具９、奥側プーリ６の奥側プーリ溝６ａに対してこの順番で掛巻する。即ち、Ｖリブドベルト４を、先ず、レンチ１７の連結部１７ａに巻き掛ける。コンプレッサプーリ３と連結部１７ａとの間におけるＶリブドベルト４の捩じれは略ゼロ度である。次に、Ｖリブドベルト４を屈曲案内曲面１１に引っ掛ける。このとき、ベルト取付治具９が手前側プーリ５の手前側プーリ溝５ａから離れないように注意する。この状態で、連結部１７ａとカバー部１０の突起側端部１０ｂとの間におけるＶリブドベルト４の捩じれはＳ撚りの方向に略９０度であり、カバー部１０の突起側端部１０ｂと屈曲案内曲面１１との間におけるＶリブドベルト４の捩じれはＺ撚りの方向に略４５度である。更に、屈曲案内曲面１１と奥側プーリ６の奥側プーリ溝６ａとの間におけるＶリブドベルト４の捩じれはＳ撚りの方向に略４５度である。
【００３７】
＜手順（ｃ）＞
次に、図７〜図１１に示すように、クランクプーリ２を第一回転方向Ａに概ね１２０度、回転させる。
【００３８】
詳しくは、先ず、図７の状態から図８の状態となるようにベルト取付治具９を手前側プーリ５の手前側プーリ溝５ａに対して手で押さえながらクランクプーリ２を約３０度、第一回転方向Ａに回転させる。すると、Ｖリブドベルト４には、伸張されることにより高い張力が発生する。上記張力は、図５（ａ）に示されるようにＶリブドベルト４がカバー部１０上を交差しているのでカバー部１０を手前側プーリ５の手前側プーリ溝５ａに対して押圧する押圧作用として働くと共に、Ｖリブドベルト４自身が屈曲案内曲面１１を第二回転方向Ｂへ向かって乗り越えようとする乗り越え作用として働く。上記押圧作用により、ベルト取付治具９は手前側プーリ５の手前側プーリ溝５ａに対して強力に固定され、もって、ベルト取付治具９は手前側プーリ５の手前側プーリ溝５ａ上を滑り難くなる。上記の乗り越え作用について言えば、屈曲案内曲面１１がプーリ径方向外方へ少なくともＶリブドベルト４のベルト幅４ｗよりも長く延在しているので、Ｖリブドベルト４には、屈曲案内曲面１１を第二回転方向Ｂへ向かって乗り越える切っ掛けが与えられず、もって、Ｖリブドベルト４自身が屈曲案内曲面１１を第二回転方向Ｂへ向かって乗り越えるのは禁止される。上記の「切っ掛け」とは、Ｖリブドベルト４の少なくとも一部が屈曲案内曲面１１の上端１１ｔに至りそして越えることで、Ｖリブドベルト４の張力が上記の乗り越え作用に一層変換される状態を意味する。本実施形態では、屈曲案内曲面１１がプーリ径方向外方へ少なくともＶリブドベルト４のベルト幅４ｗよりも長く延在しているので、屈曲案内曲面１１で屈曲されるＶリブドベルト４の姿勢の如何に拘わらず、屈曲案内曲面１１の上端１１ｔとＶリブドベルト４との間の離間関係を維持し易くなっている。なお、上記の状態に至ったら、上記の押圧作用の存在により、もはや、ベルト取付治具９を手前側プーリ５の手前側プーリ溝５ａに対して手で押さえる必要はなくなる。
【００３９】
継続して、図８の状態から図９、１０の状態となるようにクランクプーリ２を約８０度、第一回転方向Ａに回転させる。すると、奥側プーリ６の奥側プーリ溝６ａに対するＶリブドベルト４の嵌合の領域が徐々に広範になると共に、カバー部１０から屈曲案内曲面１１と反対側に延びるＶリブドベルト４が連結部１７ａから離れて手前側プーリ５の手前側プーリ溝５ａに近接する。この状態で、コンプレッサプーリ３とカバー部１０の突起側端部１０ｂとの間におけるＶリブドベルト４の捩じれはＳ撚りの方向に略９０度であり、クランクプーリ２の側面２ａは、Ｖリブドベルト４のリブが形成された内周面に対して二箇所で接触する。なお、図９の状態と図１０の状態は全く同一の状態である。
【００４０】
更に、図１０の状態から図１１の状態となるようにクランクプーリ２を約１０度、第一回転方向Ａに回転させる。すると、まもなく、Ｖリブドベルト４に蓄えられた弾性エネルギーが最小となるように、カバー部１０上のＶリブドベルト４がカバー部１０を離れて奥側プーリ６の奥側プーリ溝６ａへと移動する。この移動後、ベルト取付治具９を手前側プーリ５の手前側プーリ溝５ａから回収する。
【００４１】
詳しくは、図１０の状態からクランクプーリ２を第一回転方向Ａに回転させると、クランクプーリ２の側面２ａ上に引っ掛かっているＶリブドベルト４は、連結部１７ａからプーリ径方向に離れる方向へ向かって側面２ａ上を滑ると共にブロック体１３から膨出部１４へ向かってカバー部１０上を滑り、やがて、図１１において二点鎖線と実線で示すように、Ｖリブドベルト４は太線矢印の方向へ勢い良く弾かれる。このときのＶリブドベルト４の動きを図１２に詳細に示した。図１２中、Ｖリブドベルト４は、紙面左から右へ向かって弾かれる。この際、Ｖリブドベルト４は、膨出部１４の下りテーパ面１４ａに衝突し、この衝突により、Ｖリブドベルト４は、プーリ径方向外方へ弾き出されるようにジャンプする。そして、Ｖリブドベルト４は、図中太線矢印で示すように、奥側プーリ６の奥側プーリ溝６ａ上に若干斜め上方から接近し、奥側プーリ６の奥側プーリ溝６ａ上に着地する。
【００４２】
（まとめ）
（請求項１）
以上説明したように上記実施形態においてベルト取付治具９は、以下のように構成される。即ち、ベルト取付治具９は、手前側プーリ５の手前側プーリ溝５ａを覆うカバー部１０と、カバー部１０よりも第二回転方向Ｂ側へ配され、カバー部１０上を交差して奥側プーリ６の奥側プーリ溝６ａに導入されるＶリブドベルト４を屈曲して奥側プーリ６の奥側プーリ溝６ａに沿わせるための屈曲案内曲面１１と、を備える。屈曲案内曲面１１は、プーリ径方向外方へ、少なくともＶリブドベルト４のベルト幅４ｗよりも長く延在する。
【００４３】
上記のベルト取付治具９は、引例治具２と比較して、ステーを削除できたことにより、構造上シンプルで一層使い勝手が良い。また、上記のベルト取付治具９は、引例治具１と比較して、問題なく上記導入部を削除できることによって同時に、必須とされていた取付部をも省略でき、もって、簡素且つコンパクトである。
【００４４】
なお、上記実施形態において屈曲案内曲面１１はカバー部１０のすべてよりも第二回転方向Ｂ側へ配されているが、カバー部１０が屈曲案内曲面１１よりも第二回転方向Ｂ側へ更に延在していても特段の支障はない。ただし、屈曲案内曲面１１よりも第二回転方向Ｂ側に位置するカバー部１０の部分は、Ｖリブドベルト４の張力を、ベルト取付治具９を手前側プーリ５の手前側プーリ溝５ａに対して押圧する押圧作用として働かせる機能を持たない。
【００４５】
また、上記実施形態においてクランクプーリ２とコンプレッサプーリ３の軸間距離は変更不能に構成されるとしたが、クランクプーリ２とコンプレッサプーリ３の軸間距離は可変であってもよい。この軸間距離が可変である場合であっても、軸間距離を固定したままＶリブドベルト４をクランクプーリ２とコンプレッサプーリ３との間に掛巻しようとする場合は、特別な構造をした上記のベルト取付治具９の意義は十分に認められる。
【００４６】
また、上記実施形態の屈曲案内曲面１１に代えて、ブロック体１３の断面直角の隅部１３ａをそのまま屈曲案内部として利用することもできる。
【００４７】
（請求項２）
上記のベルト取付治具９は、更に、以下のように構成される。即ち、カバー部１０よりも第二回転方向Ｂ側にはプーリ径方向外方へ隆起するブロック体１３が設けられる。このブロック体１３に屈曲案内曲面１１が形成されると共に、カバー部１０は上記ブロック体１３から第一回転方向Ａへ向かって延在して形成される。以上の構成によれば、カバー部１０と屈曲案内曲面１１を備えるベルト取付治具９をまとまりのよい構造とすることができる。
【００４８】
（請求項１の追加）
上記のベルト取付治具９は、更に、以下のように構成される。即ち、カバー部１０には、カバー部１０上を交差するＶリブドベルト４よりも第一回転方向Ａ側に、プーリ径方向外方へ膨出する膨出部１４が形成される。以上の構成によれば、カバー部１０から屈曲案内曲面１１と反対側に延びるＶリブドベルト４が手前側プーリ５の手前側プーリ溝５ａに近接し、まもなく、カバー部１０上のＶリブドベルト４がカバー部１０を離れて奥側プーリ６の奥側プーリ溝６ａへと移動する際、膨出部１４の存在により、Ｖリブドベルト４は若干ジャンプして奥側プーリ６の奥側プーリ溝６ａへと移動することとなる。従って、図１２に示されるように、手前側プーリ５と奥側プーリ６との間の中央フランジ７をＶリブドベルト４は容易に飛び越えることができるし、奥側プーリ６の奥側プーリ溝６ａに対してＶリブドベルト４が若干斜め上方から接近する動きが実現される。なお、この二つの効果は、奥側プーリ６の奥側プーリ溝６ａに対するＶリブドベルト４の衝突等に起因するＶリブドベルト４の損傷の緩和として結実する。
【００４９】
なお、上記の膨出部１４は、下りテーパ面１４ａに代えて、カバー部１０の外周面１０ｃに対して滑らかに接続される曲面を有するように形成されてもよい。また、膨出部１４の膨出高さは、Ｖリブドベルト４のベルト幅４ｗに応じて適宜に増減するとよい。前述のジャンプから着地に至るまでのプーリ軸方向の飛翔距離が増減するからである。
【００５０】
（請求項３）
上記のベルト取付治具９は、更に、以下のように構成される。即ち、ベルト取付治具９は、クランクプーリ２の側面２ａに当接する当接部１５を備える。このようにクランクプーリ２の側面２ａに当接する当接部１５を設けることにより、手前側プーリ５の手前側プーリ溝５ａ上でのベルト取付治具９の姿勢が一層安定し、もって、Ｖリブドベルト４の張力によってベルト取付治具９が手前側プーリ５の手前側プーリ溝５ａから外れてしまうのを抑制できる。また、上記の当接部１５は、クランクプーリ２に対するベルト取付治具９の適切な位置決めを簡易化する効果も奏する。
【００５１】
（請求項４）
また、上記のベルト取付治具９は、以下のようにして用いる。（ａ）カバー部１０が屈曲案内曲面１１から見て第一回転方向Ａ側となるようにベルト取付治具９を手前側プーリ５の手前側プーリ溝５ａに当接する。（ｂ）Ｖリブドベルト４をコンプレッサプーリ３に掛巻すると共に、カバー部１０上を交差させ、屈曲案内曲面１１によって屈曲しつつ奥側プーリ６の奥側プーリ溝６ａに沿わせる。（ｃ）クランクプーリ２を第一回転方向Ａに回転させる。以上の方法によれば、特許文献２の構成で要求されるステーの取り付け作業のような難解な作業をすることなく、前記の奥側プーリ６とコンプレッサプーリ３の間にＶリブドベルト４を掛巻できる。
【００５２】
以上に本発明の好適な実施形態を説明したが、上記の実施形態は以下のように変更して実施することができる。
【００５３】
即ち、上記実施形態では、二段プーリと第二プーリの組み合わせとして、クランクプーリ２とコンプレッサプーリ３の組み合わせを例示した。しかし、これに代えて、クランクプーリ２とウォーターポンププーリの組み合わせ、クランクプーリ２とオルタネータプーリの組み合わせ、といった組み合わせにＶリブドベルト４を掛巻する場合にも、上記のベルト取付治具９を用いるとよい。
【図面の簡単な説明】
【００５４】
【図１】エンジン本体の部分斜視図である。
【図２】二段プーリの断面図である。
【図３】本発明の一実施形態に係るベルト取付治具の斜視図である。
【図４】本発明の一実施形態に係るベルト取付治具の六面図である。
【図５】図５（ａ）は図３（ａ）の拡大図であり、図５（ｂ）は図３（ｃ）の拡大図である。
【図６】図６（ａ）は図４（ｂ）の拡大図であり、図６（ｂ）は図４（ａ）の拡大図である。
【図７】ベルト取付治具の使用方法の第一説明図である。
【図８】ベルト取付治具の使用方法の第二説明図である。
【図９】ベルト取付治具の使用方法の第三説明図である。
【図１０】図９の１０線矢視図であって、ベルト取付治具の使用方法の第四説明図である。
【図１１】ベルト取付治具の使用方法の第五説明図である。
【図１２】膨出部の機能説明図である。
【符号の説明】
【００５５】
１  エンジン本体
２  クランクプーリ
３  コンプレッサプーリ
４  Ｖリブドベルト
５  クランクプーリの手前側プーリ
６  クランクプーリの奥側プーリ
９  ベルト取付治具
１０  カバー部
１１  屈曲案内曲面（屈曲案内部）
Ａ  第一回転方向
Ｂ  第二回転方向
【図１】
0005199038.tif 000002
【図２】
0005199038.tif 000003
【図３】
0005199038.tif 000004
【図４】
0005199038.tif 000005
【図５】
0005199038.tif 000006
【図６】
0005199038.tif 000007
【図７】
0005199038.tif 000008
【図８】
0005199038.tif 000009
【図９】
0005199038.tif 000010
【図１０】
0005199038.tif 000011
【図１１】
0005199038.tif 000012
【図１２】
0005199038.tif 000013